(57)【要約】【課題】折りたたみ自在な包装用箱の折りたたみ時に包装用箱が開くことのないようにすること。【解決手段】二つ折り自在な包装用箱に設けられた複数組の留め具２８ａ、２８ｂがそれぞれ対応する位置の設けられ、かつ、これらの留め具２８ａ、２８ｂがロック体と被ロック体からなるもの。【選択図】　　　　図１
2004083021.tif 000002
【特許請求の範囲】
【請求項１】
方形の底片の中央部に第１の折り目が設けられ、
前記の第１の折り目と平行の底片の両縁に第２の折り目を境にして第１の側片がそれぞれ連設され、
前記の第１の折り目の延長側の底片の両縁に第３の折り目を境にして第２の側片がそれぞれ設けられるとともに、前記の第１の折り目を延長して第２の側片に第４の折り目が設けられてなる折りたたみ自在な包装用箱において、
前記した底片と第２の側片との境に設けられた第３の折り目上であって、かつ、両側の第１の側片間に該底片側が開放された補強片が設けられ、
前記の第１の折り目に対して鉛直方向に第５の折り目が補強片に設けられ、
前記した第２の側片の内側であって、かつ、第４の折り目の両側と、
前記した補強片の外側であって、かつ、第５の折り目の両側にロック体による留め具と被ロック体による留め具がそれぞれ設けられ、
第２の側片と補強片に設けられたそれぞれの前記した留め具は対応する位置に設けられるとともに対応する位置に設けられた前記の留め具は相関関係にあることを特徴とする折りたたみ自在な包装用箱。
【請求項２】
前記の留め具がマジックテープ（登録商標）であることを特徴とする請求項１記載の折りたたみ自在な包装用箱。
【発明の詳細な説明】
【０００１】
【産業上の利用分野】
この発明は、折りたたみ自在な包装用箱に関する。
特に二つ折り自在な包装用箱に関する。
【０００２】
【従来の技術】
この種の折りたたみ自在な包装用箱の従来例として、たとえば実公昭６０−７３１２号公報に記載されたものがある。
【０００３】
本例は、方形の底片の中央部に折り目が形成され、その４辺に側片が連設され、底片上に伸縮自在な仕切が内装されてなるもので、非使用時には仕切とともに底片を中央部の折り目を介して折りたたむことにより、嵩張りを抑制し、保管や輸送上の利便性を図るようにしたものである。
【０００４】
したがって、使用時には二つ折りされた底片を開くことにより、仕切も伸張させることができるから、仕切を組み立てる手数を省略できる有利性を有する。
他方、非使用時には仕切とともに底片を中央部の折り目を介して折りたたむことができるから、嵩張りを抑制し、保管や輸送上の利便性を図ることができるものの、二つ折りした底片は折り目を境にして水平状態に復元しようとし、かつ、縮小した仕切も升目状に復元しようとする。
【０００５】
したがって、使用時の問題は少ないものの、非使用時にこの種の包装用箱は、断面Ｖ字状に開くおそれがあるため、その取り扱いが厄介であった。
とりわけ、この種の包装用箱はいわゆる業務用として多量に扱われることが少なくないので、一層、保管や輸送に煩雑さが残った。
【０００６】
【発明が解決しようとする課題】
そこで、この発明は、前記した問題点を解消しようとするものであって、第１の目的は、非使用時における折りたたみ時に二つ折りされた包装用箱が開くことのないようにすることにある。
【０００７】
この発明の第２の目的は、前記の目的を達成するため、その機構の簡素化と利便性を図ることにある。
【０００８】
【課題を解決するための手段および作用効果】
請求項１記載の折りたたみ自在な包装用箱の発明は、
方形の底片の中央部に第１の折り目が設けられ、前記の第１の折り目と平行の底片の両縁に第２の折り目を境にして第１の側片がそれぞれ連設され、前記の第１の折り目の延長側の底片の両縁に第３の折り目を境にして第２の側片がそれぞれ設けられるとともに、前記の第１の折り目を延長して第２の側片に第４の折り目が設けられてなる折りたたみ自在な包装用箱において、前記した底片と第２の側片との境に設けられた第３の折り目上であって、かつ、両側の第１の側片間に該底片側が開放された補強片が設けられ、前記の第１の折り目に対して鉛直方向に第５の折り目が補強片に設けられ、前記した第２の側片の内側であって、かつ、第４の折り目の両側と、前記した補強片の外側であって、かつ、第５の折り目の両側にロック体による留め具と被ロック体による留め具がそれぞれ設けられ、第２の側片と補強片に設けられたそれぞれの前記した留め具は対応する位置に設けられるとともに対応する位置に設けられた前記の留め具は相関関係にあることを特徴とするものである。
【０００９】
請求項１記載の折りたたみ自在な包装用箱の発明は、上記の構成であるから、底片に対して第１の側片、第２の側片および補強片をそれぞれ立起させ、補強片に設けられた第５の折り目の両側の留め具と第２の側片に設けられた第４の折り目の両側の留め具をそれぞれ緊合することにより、使用時の包装用箱を設けることができる。
この場合、それぞれの留め具は対応する位置に設けられていることのほか、これらの留め具がロック体によるものと被ロック体によるものとからなり、互いに相関関係にあるから、対応する両留め具を圧着させることにより簡単に留め具を緊合できる。
【００１０】
他方、非使用時に嵩を少なくするため、折りたたむが、この場合、底片を第１の折り目を境にして二つ折りにする。
その際、両側の補強片は第４の折り目を境にして内側へ折りたたむ。
かくして、補強片と第２の側片に設けられてそれぞれの留め具は互いに対応する位置に存在することと、併せて留め具がロック体によるものと被ロック体によるものとからなるから、二つ折りされた底片は第２の側片に設けられた両側の留め具により緊合され解除されない。
したがって、二つ折りされた補強片は補強片に設けられた両側の留め具の緊合により開くことがなく、さらに第１の側片は二つ折りされた補強片に追従するから開くことがない。
【００１１】
したがって、この種の折りたたみ自在な包装用箱は、非使用時の扱いが厄介であったが、留め具により簡単に緊合させることができるので、非使用時における折りたたみ時に二つ折りされた包装用箱を開くことのないようにすることができる。
よって、折りたたみ時に容易に開くことのない包装用箱を得ることができるから、嵩張ることがなく、保管や輸送の利便性に富んだ包装用箱を得ることができる。
【００１２】
請求項２記載の折りたたみ自在な包装用箱の発明は、請求項１記載の発明において、留め具がマジックテープ（登録商標）であることを特徴とするものである。
【００１３】
請求項２記載の折りたたみ自在な包装用箱の発明は、上記の構成であるから、請求項１記載の折りたたみ自在な包装用箱の発明が奏する作用効果のほか、留め具がマジックテープ（登録商標）であるから、手軽に緊合と解除ができ、かつ、経済コストを安価にできることは勿論、第２の側片や補強片へ簡単に装着できる。
【００１４】
【発明の実施の形態】
この発明の実施の形態に係る折りたたみ自在な包装用箱を図１、図２および図３を参照して以下に説明する。
方形の底片１０の中央部に第１の折り目１２が設けられ、第１の折り目１２を境にして底片１０は二つ折りにできるように図られている。
前記の第１の折り目１２と平行の底片１０の両縁に第２の折り目１４を境にして第１の側片１６、１６がそれぞれ設けられている。
前記の第１の折り目１２の延長側の底片１０の両縁に第３の折り目１８を境にして第２の側片２０がそれぞれ設けられている。
そして、前記の第１の折り目１２を延長して前記の両側の第２の側片２０に第４の折り目２２が設けられ、第２の側片２０が第４の折り目２２を境にして底片１０と同様に二つ折りができるように図られている。
【００１５】
前記した底片１０と第２の側片２０との境に設けられた第３の折り目１８上であって、かつ、両側の第１の側片１６間に該底片１０側が開放された補強片２４が設けられている。
この実施の形態では、両側の補強片２４、２４は底片１０の輪郭に倣うように方形に設けられ、第２の側片２０側の部分以外は両側の第１の側片１６の内側に接着されることにより構成されている。
そして、前記の第１の折り目１２に対して鉛直方向に第５の折り目２６が補強片２４に設けられている。
【００１６】
ここに、補強片２４の底片１０側が開放されたとは、補強片２４の底片１０側が底片１０や第２の側片２０に連設されることなく、底片１０や第２の側片２０から分離していることであり、前記した第５の折り目２６を境にして底片１０側と第２の側片２０側のいずれの側へも二つ折りできるように図られていることである。
【００１７】
さらに、説明すると、前記した第２の側片２０の内側であって、かつ、第４の折り目２２の両側と、前記した補強片２４の外側であって、かつ、第５の折り目２６の両側にそれぞれ留め具が設けられている。
ここで注目されることは、留め具のそれぞれは互いに対応する位置に設けられていること、そして、それぞれの留め具はロック体による留め具２８ａと被ロック体による留め具２８ｂとからなるから構成されている。
【００１８】
たとえば、留め具がいわゆるマジックテープ（登録商標）である場合、ロック体による留め具２８ａがプラスチックス製の鉤状のフックであり、被ロック体２８ｂによる留め具２８ｂはプラスチックス製のループであり、これらの多数のフックとループが対応して設けられ、両者が圧着されることにより、知られるようにフックとループが緊合される。
他方、その緊合の解除には、圧着状態を開くことにより行うことのできることは周知のとおりである。
【００１９】
手軽に採用できる留め具の例として、マジックテープ（登録商標）を挙げたが勿論、留め具がマジックテープ（登録商標）に制限されるものではなく、たとえば、ホック、ボタン、スナップなどでもよく、これらの留め具がロック体による留め具と被ロック体による留め具により構成されていることにより、手軽に緊合と解除を行うことができる。
【００２０】
留め具のそれぞれが互いに対応する位置に設けられてなることを図１を参照してさらに具体的に説明すると、第２の側片２０の内側に、第４の折り目２２を境にして一方にはロック体による留め具２８ａが設けられ、他方には、被ロック体による留め具２８ｂが設けられている。
そして、補強片２４の外側に、第５の折り目２６を境にして一方には被ロック体による留め具２８ｂが設けられ、他方には、ロック体による留め具２８ａが設けられ、両留め具２８ａ、２８ｂは対応した位置に設けられている。
【００２１】
ここで重要なことは、第２の側片２０の両側の留め具２８ａ、２８ｂがロック体によるものと被ロック体によるものであり、かつ、対応した位置に存在していることのほか、第２の側片２０の両側の留め具２８ａ、２８ｂが補強片２４に設けられた両側の留め具２８ａ、２８ｂに対しても対応する位置に設けられている。
しかも、第２の側片２０の両側の留め具２８ａ、２８ｂと補強片２４に設けられた両側の留め具２８ａ、２８ｂがそれぞれ相関関係にあることである。
ここに留め具２８ａ、２８ｂが相関関係にあるとは、留め具２８ａ、２８ｂが互いにかかわりあうことにより、緊合と解除が行われる関係のことである。
【００２２】
そこで、この発明の実施の形態について、組立方法および折りたたみ方法を説明する。
二つ折りにされた包装用箱の組立方法について（図３を参照）
二つ折りにされた底片１０を伸張させる。
水平に伸張された底片１０に対して両側の第１の側片１６および両側の第２の側片２０はそれぞれ第１の折れ目１４、第３の折り目１８を境にして底片１０の水平方向の伸張に追従して立起される。
この場合、補強片２４は第１の側片１６の立起に追従して第５の折り目２６を境にして第１の側片１６と直角方向に立起される（図１を参照）。
【００２３】
そこで、第２の側片２０の一方に設けられたロック体による留め具２８ａと他方に設けられた被ロック体による留め具２８ｂをこれらの両留め具２８ａ、２８ｂに対応する補強片２４に設けられた両側の留め具２８ａ、２８ｂに押圧させて一対の留め具２８ａ、２８ｂを緊合させることにより、第２の側片２０と補強片２４が結合され使用時に備えた包装用箱を得ることができる（図２を参照）。
この場合、両側の合計８個の留め具２８ａ、２８ｂはそれぞれ対応する位置に設けられていることのほか、これらの留め具がロック体によるものと他方に設けられた被ロック体によるものであって、相関関係にあるから、圧着させることにより簡単に留め具を緊合できる。
【００２４】
伸張された包装用箱の折りたたみ方法について（図２を参照）
他方、非使用時に嵩を少なくするため、折りたたむが、この場合、まず、緊合された第２の側片２０の両留め具２８ａ、２８ｂと補強片２４の留め具２８ａ、２８ｂを解除させる（図１を参照）。
解除させるには、第２の側片２０を第３の折り目１８を境にして軽く外側に引っ張ればよい。
【００２５】
そして、底片１０を第１の折り目１２を境にして内側に二つ折りにする。
その際、両側の補強片２４は第４の折り目２６を境にして内側へ折りたたみ、第１の側片１６を軽く押圧させる。
かくして、補強片２４と第２の側片２０に設けられたそれぞれの留め具２８ａ、２８ｂは互いに対応する位置に存在することと、併せて留め具２８ａ、２８ｂがロック体によるものと被ロック体によるものとからなるので確実に緊合される（図３を参照）。
したがって、二つ折りされた包装用箱は開くことがないので、この種の折りたたみ自在な包装用箱は、非使用時の扱いが厄介であったが、開くことがない状態で嵩張ることがなく、保管や輸送に供することができる。
【図面の簡単な説明】
【図１】この発明の実施の形態の折りたたみ自在な包装用箱の組立時の斜視図である。
【図２】この発明の実施の形態の折りたたみ自在な包装用箱の使用時の斜視図である。
【図３】この発明の実施の形態の折りたたみ自在な包装用箱の折りたたみ時の斜視図である。
【符号の説明】
１０　底片
１２　第１の折り目
１４　第２の折り目
１６　第１の側片
１８　第３の折り目
２０　第２の側片
２２　第４の折り目
２４　補強片
２６　第５の折り目
２８ａ　ロック体による留め具
２８ｂ　被ロック体による留め具
【図１】
2004083021.tif 000003
【図２】
2004083021.tif 000004
【図３】
2004083021.tif 000005